(57)【要約】【課題】  従来の光ファイバ収納ユニット構造では、局内側の光ファイバコードのプラグ接続部と局外側の光ファイバコードの融着接続部を同一の光ファイバ収納トレイ内に設けるために、プラグが抜き差しされるアダプタを横一列に配列すると、プラグをアダプタに抜き差しする際に、光ファイバ収納トレイが動いてしまった。【解決手段】  光ファイバ収納トレイ２が筐体３からの所定の引出位置まで引き出されると、光ファイ収納トレイのトレイ突起部２７が、ストッパ金具３４の突片３４ｂに当接し、光ファイバ収納トレイ２の引き出し方向の移動が規制される。同時に、光ファイバ収納トレイ２に一端側が取り付けられたクリップ２０の他端側が、固定側レール部４１の前端面に係止して、光ファイバ収納トレイ２の仕舞い方向の移動が規制される。この結果、光ファイバ収納トレイ２は、筐体３からの所定の引出位置に保持されて、引出量がロックされる。【選択図】  図１１
2006227041.tif 000002
【特許請求の範囲】
【請求項１】
光ファイバケーブルと光ファイバコードを接続する接続部および前記光ファイバコードの余長を収納する余長収納部を備えた光ファイバ収納トレイが筐体から引き出される位置を所定の引出位置に保持する光ファイバ収納トレイの引出位置ロック構造において、
前記光ファイバ収納トレイは、前記筐体に固定された保持枠に沿ってスライド部が移動するスライドレールによって前記筐体の側面から引き出し自在に前記筐体内に支持され、
前記光ファイバ収納トレイに設けられた突部と、前記所定の引出位置において前記突部が当接して前記光ファイバ収納トレイの引き出し方向の移動を規制する当接部材と、前記所定の引出位置において前記保持枠が備える被係止手段に係止して前記光ファイバ収納トレイの仕舞い方向の移動を規制する係止部材とを備えていることを特徴とする光ファイバ収納トレイの引出位置ロック構造。
【請求項２】
前記当接部材は、前記光ファイバ収納トレイの移動に伴う前記突部の移動経路上とこの移動経路上から退避した位置との間で移動自在に構成されたストッパ金具であることを特徴とする請求項１に記載の光ファイバ収納トレイの引出位置ロック構造。
【請求項３】
前記係止部材は、板バネを円弧状に折り曲げてなるクリップであることを特徴とする請求項１または請求項２に記載の光ファイバ収納トレイの引出位置ロック構造。
【請求項４】
前記接続部として、一方の前記光ファイバコード先端のプラグと片端プラグ付き光ファイバテープ心線の一端のプラグが抜き差しされるレセプタクルと、他方の前記光ファイバケーブル内のテープ心線と前記片端プラグ付き光ファイバテープ心線の他端との融着接続部とを備え、前記片端プラグ付き光ファイバテープ心線が収納される心線収納部を有する前記光ファイバ収納トレイを、前記筐体の高さ方向に複数配置してなる光ファイバ収納ユニットにおいて、
請求項１から請求項３のいずれか１項に記載の光ファイバ収納トレイの引出位置ロック構造を用いて、前記筐体からの前記各光ファイバ収納トレイの引出位置を保持することを特徴とする光ファイバ収納ユニット。
【請求項５】
請求項４に記載された光ファイバ収納ユニットを備える光配線盤。
【発明の詳細な説明】
【技術分野】
【０００１】
本発明は、筐体の側面から引き出し自在に筐体内に支持された光ファイバ収納トレイの引出位置ロック構造に関するものである。
【背景技術】
【０００２】
光配線盤は、局外側から引き込まれる光ファイバケーブルと、局内側から引き込まれる光ファイバコードとを配線接続するためのもので、一般に、コネクタユニットと融着ユニットとを備えて構成されている。融着ユニットは、局外側から引き込まれた光ファイバケーブルを構成する各光ファイバテープ心線と、光配線盤内で用いられる片端プラグ付き光ファイバコードとの融着接続部を収納するためのものである。また、コネクタユニットは、局内側から引き込まれた光ファイバコードと、光配線盤内で用いられる片端プラグ付き光ファイバコードとの接続部を収納するためのものである。局外側の光ファイバケーブルのテープ心線と、局内側の光ファイバコードとは、光配線盤内で用いられる上記片端プラグ付き光ファイバコードにより互いが接続される。
【０００３】
例えば、図１に示すように、コネクタユニット５は、複数の光ファイバ収納トレイ５１が高さ方向に積層されて筐体５２に収容されている。各光ファイバ収納トレイ５１には、トレイ正面から背面までの奥行き方向に縦一列にアダプタＡが複数設けられている。アダプタＡには、局内側からの光ファイバコードｈ４および光配線盤内の片端プラグ付き光ファイバコードｈ３の各先端に接続されたプラグが差し込まれて、両光ファイバコードｈ４，ｈ３が接続される。融着ユニットもコネクタユニット５とほぼ同様の構成を有するが、局外側から引き込まれた光ファイバケーブルのテープ心線と、光配線盤内で用いられる片端プラグ付き光ファイバコードとの融着接続部を光ファイバ収納トレイに収納する。
【０００４】
コネクタユニット５は、アダプタＡが光ファイバ収納トレイ５１の奥まで設けられているため、光ファイバ収納トレイ５１の一番奥側に配置されたアダプタＡからプラグを抜き差しする際に、光ファイバ収納トレイ５１を図示するように筐体５２からほぼ全面が露出するまで引き出す必要があった。また、筐体５２からの光ファイバ収納トレイ５１の引き出しの際に、アダプタＡに接続された光ファイバコードｈ４は同図に矢印で示すように必要以上に移動する。従って、従来、光ファイバコードｈ３，ｈ４の余長が長くなるため、光ファイバコードｈ３，ｈ４の余長を収納するスペースを大きく取らなければならなかった。しかし、この光ファイバ収納トレイ５１では、光ファイバ収納トレイ５１の移動方向とプラグの抜き差し方向とが垂直になっているため、プラグの抜き差し時に光ファイバ収納トレイ５１が移動することはない。
【０００５】
また、図２に示す光ファイバ収納トレイ６のように、光ファイバコードｈ４に接続された片端プラグ付光ファイバコードｈ３２と局外側からの光ファイバケーブルに接続されたテープ心線ｈ３１との融着接続部ｈ３３を収納する心線収納部６１を、アダプタＡの他に備えるものもある。この光ファイバ収納トレイ６では、アダプタＡが光ファイバ収納トレイ６の前面に横一列に配置され、その後部に心線収納部６１が配置されている。図３に示すユニット７は、この光ファイバ収納トレイ６を収納している。このユニット７では、光ファイバ収納トレイ６の幅方向に沿ってアダプタＡが配置され、アダプタＡに対するプラグの抜き差し方向が光ファイバ収納トレイ６の引出方向と一致するために、プラグの抜き差し時に光ファイバ収納トレイ６が引出方向に移動してしまう。従って、ユニット７は、プラグをアダプタＡに差し込みにくく、また作業中に上下の光ファイバ収納トレイ６間に手を挟めたりするなど、作業性に問題が生じていた。
【０００６】
また、図３に示すユニット７で、種類の違うアダプタＡを用いる場合には、光ファイバ収納トレイ６の引出方向でのアダプタＡの大きさが、アダプタＡの種類よって違う。このため、光ファイバコードｈ４のアダプタＡへの接続の際に必要となる光ファイバ収納トレイ６の最低限の引出量が、用いるアダプタＡの種類毎に異なる。
【０００７】
上記のような問題を解消するため、下記の特許文献１に示すように、光ファイバ収納トレイを筐体から所定の引出位置に引き出して保持する引出位置ロック構造が提案されている。特許文献１に記載の引出位置ロック構造は、筐体または光ファイバ収納トレイの一方に設けられた凸部が、他方に設けられた凹部に嵌って、筐体から引き出された光ファイバ収納トレイが所定の引出位置に固定される。
【特許文献１】実用新案登録第３０６５２９５号公報（段落［００３３］参照）
【発明の開示】
【発明が解決しようとする課題】
【０００８】
しかしながら、特許文献１に記載の引出位置ロック構造では、凸部と凹部とが単に嵌まって引出位置がロックされているため、少しでも強い力が光ファイバ収納トレイの引出方向にかかると、ロックが簡単に外れてしまい、光ファイバ収納トレイが動いてしまう可能性がある。
【課題を解決するための手段】
【０００９】
本発明はこのような課題を解決するためになされたもので、例えば局外側の光ファイバケーブルと例えば局内側の光ファイバコードを接続する接続部および光ファイバコードの余長を収納する余長収納部を備えた光ファイバ収納トレイが筐体から引き出される位置を所定の引出位置に保持する光ファイバ収納トレイの引出位置ロック構造において、光ファイバ収納トレイは、筐体に固定された保持枠に沿ってスライド部が移動するスライドレールによって筐体の側面から引き出し自在に筐体内に支持され、光ファイバ収納トレイに設けられた突部と、所定の引出位置において突部が当接して光ファイバ収納トレイの引き出し方向の移動を規制する当接部材と、所定の引出位置において保持枠が備える被係止手段に係止して光ファイバ収納トレイの仕舞い方向の移動を規制する、例えば、板バネを円弧状に折り曲げてなる係止部材とを備えていることを特徴とする。
【００１０】
このような構成によれば、当接部材に突部を当接させて、筐体からの引き出し方向への光ファイバ収納トレイの移動を規制すると共に、保持枠が備える被係止手段に係止部材を係止させて、筐体への仕舞い方向への光ファイバ収納トレイの移動を規制して、所定の引出位置に光ファイバ収納トレイを保持することができる。そして、被係止手段への係止部材の係止を解くことにより、仕舞い方向への光ファイバ収納トレイの移動規制を簡単に解いて、光ファイバ収納トレイを筐体内に収納することができる。
【００１１】
このため、筐体からの光ファイバ収納トレイの引出量を、光ファイバコードの取り付けや取り外しの作業に必要な量にとどめて、従来のように光ファイバ収納トレイのほぼ全面を筐体から引き出す場合に比べて、光ファイバ収納トレイの移動距離を短くできる。従って、光ファイバコードの余長を短くして、余長収納部のスペースを小さくできる。
【００１２】
また、所定の引出位置で、光ファイバ収納トレイの引出方向および仕舞い方向への移動が規制されるので、光ファイバ収納トレイが備える接続部が、光ファイバコード先端のプラグが抜き差しされるレセプタクルである場合には、プラグ抜差方向が光ファイバ収納トレイの引出方向および仕舞い方向に一致していても、プラグの抜き差しの際に、光ファイバ収納トレイが引出方向および仕舞い方向に移動するのを防止することができる。このため、光ファイバ収納トレイは、筐体からの引き出し方向に対して垂直方向に沿って光ファイバケーブルと光ファイバコードの接続用レセプタクルが配列され、その後方に心線収納部が配置される構成とすることもできる。
【００１３】
また、光ファイバ収納トレイの引出方向における、当接部材と突部との位置関係、ならびに、保持枠が備える被係止手段への係止部材の係止位置を単に変更することにより、光ファイバ収納トレイの筐体からの引出量を調整できるため、所望の引出位置に光ファイバ収納トレイを保持できる引出位置ロック構造を容易に設計することができる。
【００１４】
また、本発明は、当接部材が、光ファイバ収納トレイの移動に伴う突部の移動経路上とこの移動経路上から退避した位置との間で移動自在に構成されたストッパ金具であることを特徴とする。
【００１５】
このような構成によれば、ストッパ金具を突部の移動経路上に位置させると、突部がストッパ金具に当接して、引出方向への光ファイバ収納トレイの移動が規制される。一方、ストッパ金具を突部の移動経路上から退避させると、突部とストッパ金具との当接が解けて、光ファイバ収納トレイの移動規制が解除される。このため、光ファイバ収納トレイを更に引出方向に移動させて、筐体から取り外すことができる。
【発明の効果】
【００１６】
このような本発明によれば、上記のように、光ファイバコードの余長を短くして、余長収納部のスペースを小さくできる。また、光ファイバ収納トレイの引出方向とプラグ抜差方向とを一致させて光ファイバケーブルと光ファイバコードの接続用レセプタクルを配列し、その後方に心線収納部を配置する構成とすることもできる。
【発明を実施するための最良の形態】
【００１７】
次に、本発明を実施するための最良の形態について説明する。
【００１８】
図４は本発明の最良の形態による光配線盤１を説明する図で、同図（ａ）は光配線盤１を構成するキャビネット１ａの正面から見た内部構成を説明する図、同図（ｂ）はキャビネット１ａの側面図である。
【００１９】
光配線盤１は、局外側から引き込まれた光ファイバケーブルｈ１と、局内側から引き込まれた光ファイバコードｈ４とを配線接続するためのもので、同図（ａ）に示すようにキャビネット１ａ内に配線接続部が収納されている。局外側からキャビネット１ａ内に導入された光ファイバケーブルｈ１からは、収められている複数本の光ファイバテープ心線ｈ３１が引き出され、引き出された各光ファイバテープ心線ｈ３１と、キャビネット１ａ内の光ファイバ収納トレイ２内部の心線収納部に配置されている片端簡易プラグ付き光ファイバテープ心線の一端とが融着接続される。この片端簡易プラグ付き光ファイバテープ心線の他端と、局内側から引き込まれたプラグ付光ファイバコードｈ４とが接続されて、光ファイバケーブルｈ１と光ファイバコードｈ４とが光ファイバ収納トレイ２で配線接続されている。光配線盤１には、この光ファイバ収納トレイ２が所定数筐体３に取り付けられた光ファイバ収納ユニット１１が、キャビネット１ａの高さ方向に複数積層して配置されている。
【００２０】
図５は、光ファイバ収納ユニット１１の１ユニットを示す図で、同図（ａ）が平面図、同図（ｂ）が正面図である。図６は光ファイバ収納ユニット１１の構成の概略を示す斜視図である。図７は光ファイバ収納ユニット１１を構成する光ファイバ収納トレイ２を示す図で、同図（ａ）は光ファイバ収納トレイ２の平面図、同図（ｂ）は正面図、同図（ｃ）は左側からの側面図、同図（ｄ）は右側からの側面図である。また、図８は、光ファイバ収納トレイ２の構成の概略を示す斜視図である。
【００２１】
光ファイバ収納ユニット１１は、図５および図６に示すように、所定数（同図では６個）の光ファイバ収納トレイ２を筐体３の高さ方向に積層した状態で収納している。各光ファイバ収納トレイ２は、図７および図８に示すように、矩形状を呈した底板２１の４辺に沿って縦板２２が設けられている。光ファイバ収納トレイ２の引き出し方向に沿った２辺のうちの左側の１辺に沿って設けられた縦板２２は、中央部が切り欠かれている。この切欠部２３から、局外側からキャビネット１ａ内に導かれたテープ心線ｈ３１が光ファイバ収納トレイ２内に導入される。右側の１辺に沿って設けられた縦板２２は、前端部が切り欠かれている。この切欠部２４から、局内側からの光ファイバコードｈ４が光ファイバ収納トレイ２内に導入される。また、後側の１辺に沿って設けられた縦板２２は、幅方向中央部が切り欠かれており、切欠部分には角型ジュラコンキャッチ２２ａが取り付けられている。角型ジュラコンキャッチ２２ａには、図５に示す筐体３の凸部３１ａが嵌る。
【００２２】
底板２１の奥行き方向中央部のやや前端側には、接続部を構成する簡易レセプタクルＢが、底板２１の幅方向に沿ってほぼ１列に配設されている。底板２１の各簡易レセプタクルＢの前端部は、簡易レセプタクルＢに接続された光ファイバコードｈ４の余長を収納する余長収納部２６となっている。また、底板２１の各簡易レセプタクルＢの後端部には、片端簡易プラグ付き光ファイバテープ心線ｈ３２を収納する箱状を呈した心線収納部２５が設けられている。片端簡易プラグ付き光ファイバテープ心線ｈ３２は、一端側のプラグが簡易レセプタクルＢに差し込まれている。また、底板２１の左端、および心線収納部２５の上面には、光ファイバテープ心線ｈ３１を把持するクランプ２８ａ，２８ｂが設けられている。これらクランプ２８ａ，２８ｂに把持された光ファイバテープ心線ｈ３１は、心線収納部２５上面で環状に巻かれて把持部２５ｂで把持されている。片端簡易プラグ付き光ファイバテープ心線ｈ３２は、把持部２５ｂの下方の心線収納部２５上面の穴から心線収納部２５上面に出て、心線収納部２５上面で環状に巻かれて把持部２５ｂで把持されている。把持部２５ｂで把持されているこれら光ファイバテープ心線ｈ３１と片端簡易プラグ付き光ファイバテープ心線ｈ３２との各一端は融着接続され、融着接続部ｈ３３が融着接続部保持部２５ａで保持されている。
【００２３】
図９は、スライドレール４の構成の概略を示す斜視図であり、同図（ａ）は縮短した状態、同図（ｂ）は伸張した状態を示す。
【００２４】
スライドレール４は、保持枠である固定側レール部４１と、この固定側レール部４１に保持されるスライド部である移動側レール部４２とから構成されている。固定側レール部４１は、筐体３の幅方向両側の側壁３２，３３に取り付けられている。移動側レール部４２は、固定側レール部４１の延設方向に沿ってスライドし得るように、固定側レール部４１に保持されている。また、図８および図９に示すように、移動側レール部４２は、光ファイバ収納トレイ２を構成する底板２１の幅方向両側の裏面に取り付けられており、この移動側レール部４２が固定側レール部４１上をスライドすることにより、光ファイバ収納トレイ２が引出方向または仕舞い方向に移動する。
【００２５】
また、底板２１には、図８に示すように、その一部分が折り曲げられたトレイ突起部２７が設けられている。トレイ突起部２７は、底板２１の幅方向左縁部の後端に立設されており、光ファイバ収納トレイ２に設けられた突部を構成している。また、底板２１の幅方向右縁部の中央部やや前端側にはサポート板２９が設けられている。サポート板２９は、底板２１の幅方向右側の外方に向けてほぼ水平に突出した板状体から構成されており、先端部が上方に向けて屈曲している。簡易レセプタクルＢにプラグが接続された光ファイバコードｈ４は、余長収納部２６を通ってサポート板２９の水平部分で支持されており、その屈曲部分で底板２１からの脱落を防止し、光ファイバコードｈ４の余長を収納している。
【００２６】
また、底板２１の幅方向左縁部の前端部にはクリップ２０の一端がネジで固定されている。クリップ２０は、板バネを円弧状に折り曲げて構成されており、弾性を有する。自由端となる他端側は、クリップ２０の弾性力により、光ファイバ収納トレイ２が収納位置にあるときは図６に示すように固定側レール部４１の左側部、光ファイバ収納トレイ２が引出位置にあるときは図８に示すように移動側レール部４２の左側部に押し付けられている。底板２１には、クリップ２０の円弧状部が接触しないように切欠部２１ａが設けられている。また、クリップ２０は、他端側が上方に引き上げられることにより、引き上げ方向に沿って撓む。このクリップ２０は、光ファイバ収納トレイ２の筐体３からの所定の引出位置において、固定側レール部４１が備える被係止手段（本実施形態では、スライドレール４の前端部における固定側レール部４１と移動側レール部４２との段差）に係止して、光ファイバ収納トレイ２の仕舞い方向の移動を規制する係止部材を構成している。
【００２７】
筐体３は、図６に示すように、光ファイバ収納トレイ２の後方を覆うように立設された後端壁３１と、この後端壁３１の幅方向両側部から前方に向けて延びる左右の側壁３２，３３とから構成されている。後端壁３１には、上述した凸部３１ａが設けられている。この凸部３１ａが、角型ジュラコンキャッチ２２ａに嵌ることにより、収納位置での光ファイバ収納トレイ２の移動が規制される。また、筐体３の幅方向左側の前端には、ストッパ金具３４が設けられている。
【００２８】
ストッパ金具３４は、図１０に示すように、棒状の本体部分３４ａの一側に所定間隔で突片３４ｂを設けて構成されており、本体部分３４ａが筐体３の幅方向左側の側壁３２の前端面に沿って位置し、突片３４ｂが筐体３の幅方向右側の側壁３３側に向けて突出するように、ネジで筐体３に固定されている。ストッパ金具３４は、このネジの脱着により、筐体３の幅方向（同図の矢印方向）に移動自在に構成されており、光ファイバ収納トレイ２の引き出し方向への移動に伴うトレイ突起部２７の移動経路上に突片３４ｂが位置する移動規制位置、または、この移動経路から退避した位置に突片３４ｂが位置する規制解除位置にされる。ストッパ金具３４は、光ファイバ収納トレイ２の筐体３からの所定の引出位置においてトレイ突起部２７が当接して、光ファイバ収納トレイ２の引き出し方向への移動を規制する当接部材を構成している。
【００２９】
上述したスライドレール４，クリップ２０，トレイ突起部２７，およびストッパ金具３４は、光ファイバ収納トレイ２を筐体３から所定の引出位置に引き出して保持する引出位置ロック構造を構成している。この引出位置ロック構造は、図１１（ａ）の平面図に示す、収納位置からトレイ突起部２７がストッパ金具３４に当接するまでの光ファイバ収納トレイ２の移動距離Ｘ１と、収納位置から固定側レール部４１と移動側レール部４２との段差にクリップ２０が係止するまでの光ファイバ収納トレイ２の移動距離Ｘ２とが、等しい値に設定されている。
【００３０】
次に、本実施形態による光配線盤１が備える各ユニット１１での光ファイバ収納トレイ２の引出動作および仕舞い動作を説明する。
【００３１】
光ファイバ収納トレイ２は、図１１（ａ）の平面図に示すように筐体３に収納された状態では、クリップ２０の他端側が、その弾性力により固定側レール部４１の側部に押し付けられている。また、簡易レセプタクルＢにプラグが接続された光ファイバコードｈ４は、底板２１の幅方向右側の縦板２２の切欠部２４から、光ファイバ収納トレイ２の側方に出て、サポート板２９の水平部分に保持されている。また、ストッパ金具３４は引出規制位置にあり、トレイ突起部２７の移動経路上に突片３４ｂが位置している。
【００３２】
この状態から、光ファイバ収納トレイ２が筐体３の側方に向けて引き出されると、移動側レール部４２が固定側レール部４１の延設方向に向けてスライドし、光ファイバ収納トレイ２が筐体３から引き出される。
【００３３】
光ファイバ収納トレイ２が筐体３から所定の引出位置まで引き出されると、図１１（ｂ）に示すように光ファイバ収納トレイのトレイ突起部２７が、ストッパ金具３４の突片３４ｂに当接し、光ファイバ収納トレイ２の引き出し方向の移動が規制される。同時に、クリップ２０の他端側が、その弾性によって固定側レール部４１の外側面から移動側レール部４２の外側面に落ち込む。そして、落ち込んだクリップ２０の他端側が、図１０に示すように、固定側レール部４１の前端面に係止して、光ファイバ収納トレイ２の仕舞い方向の移動が規制される。このようにして、光ファイバ収納トレイ２は、筐体３からの所定の引出位置に保持されて、引出量がロックされる。
【００３４】
この引出位置から光ファイバ収納トレイ２を筐体３への仕舞い方向に移動させて、光ファイバ収納トレイ２を筐体３内に収納する場合には、まず、クリップ２０の他端側を上方に引き上げて、移動側レール部４２の外側面から離間させる。これにより、固定側レール部４１の前端面へのクリップ２０の係止が解けて、光ファイバ収納トレイ２が仕舞い方向に移動可能となる。この状態で、光ファイバ収納トレイ２が仕舞い方向に押し込まれると、スライドレール４の移動側レール部４２が固定側レール部４１上を縮短方向に向けてスライドし、光ファイバ収納トレイ２が仕舞い方向に移動して、筐体３内に収納される。
【００３５】
一方、光ファイバ収納トレイ２を所定の引出位置から更に引き出すときは、まず、ストッパ金具３４を筐体３に固定しているネジをゆるめ、ストッパ金具３４を規制解除位置に移動させる。これにより、ストッパ金具３４の突片３４ｂがトレイ突起部２７の移動経路上から退避して、突片３４ｂへのトレイ突起部２７の当接が解け、光ファイバ収納トレイ２が引出方向に移動可能となる。この状態で、光ファイバ収納トレイ２が引出方向に引き出されると、スライドレール４の移動側レール部４２が固定側レール部４１上を伸張方向に沿って移動し、光ファイバ収納トレイ２が筐体３から取り外される。
【００３６】
このように、本実施形態の光ファイバ収納ユニット１１によれば、ストッパ金具３４の突片３４ｂにトレイ突起部２７を当接させて、筐体３からの引き出し方向への光ファイバ収納トレイ２の移動を規制すると共に、固定側レール部４１の前端面にクリップ２０を係止させて、筐体３への仕舞い方向への光ファイバ収納トレイ２の移動を規制することにより、所定の引出位置に光ファイバ収納トレイ２を保持することができる。
【００３７】
このため、筐体３からの光ファイバ収納トレイ２の引出量を、図１２に矢印５１で示すスライドレール４の小さな移動量とし、簡易レセプタクルＢへの光ファイバコードｈ４の取り付けや取り外しの作業に最低限必要な量にとどめることができる。この結果、図１に示す従来のコネクタユニットに比べて光ファイバ収納トレイ２の移動距離を短くできる。従って、図１２に矢印５２で示すように、光ファイバコードｈ４の移動距離もサポート板２９上における光ファイバコードｈ４の円弧長程度に短くなり、光ファイバ収納トレイ２を引き出したときは、サポート板２９上の光ファイバコードｈ４の曲げ経路が同図の下方に示すように直線的になり、光ファイバコードｈ４が引っ張られることなく、光ファイバ収納トレイ２を引き出すことができる。この結果、従来のコネクタユニットに比べて余長収納部２６のスペースを小さくできる。
【００３８】
また、所定の引出位置で、光ファイバ収納トレイ２の引出方向および仕舞い方向への移動が規制されるので、光ファイバ収納トレイ２が備える簡易レセプタクルＢに対するプラグ抜差方向が光ファイバ収納トレイ２の引出方向および仕舞い方向に一致していても、簡易レセプタクルＢへのプラグの抜き差しの際に、光ファイバ収納トレイ２が引出方向および仕舞い方向に移動するのを防止することができる。このため、光ファイバ収納トレイ２は、筐体３からの引き出し方向に対して垂直方向に沿って簡易レセプタクルＢが配列され、その後方に心線収納部２５が配置される構成とすることもできる。
【００３９】
また、光ファイバ収納トレイ２の引出方向における、ストッパ金具３４とトレイ突起部２７との位置関係、ならびに、固定側レール部４１が備える被係止手段へのクリップ２０の係止位置、つまり、固定側レール部４１および移動側レール部４２間の段差とクリップ２０との位置関係を単に変更することにより、光ファイバ収納トレイ２の筐体３からの引出量を調整できるため、所望の引出位置に光ファイバ収納トレイ２を保持できる引出位置ロック構造を容易に設計することができる。
【００４０】
また、クリップ２０の他端側を上方に引き上げるという簡単な操作により、固定側レール部４１の前端面へのクリップ２０の係止を解くことができ、光ファイバ収納トレイ２の取り扱いを容易にすることができる。また、光ファイバ収納トレイ２の前端部にクリップ２０を取り付けることにより視認性をよくして、クリップ２０の引き上げを容易に行うことができる。
【００４１】
なお、上記実施形態では、係止部材として板バネを折り曲げて中央部が円弧状を呈したクリップ２０を形成し、クリップ２０の一端側を底板２１に取り付けて他端側を固定側レール部４１の前端面に係止した場合について説明した。しかし、クリップ２０は、固定側レール部４１の前端面に係止して光ファイバ収納トレイ２の仕舞い方向への移動を規制すると共に、外力を加えることにより固定側レール部４１の前端面への係止を解くことができるのであれば、その形状や取付箇所は上記実施形態での構成に限定されない。例えば、係止部材は、単なる板状に形成されていてもよい。
【００４２】
また、固定側レール部４１の前端面に係止した状態とこの係止が解けた状態との間で移動可能であれば、クリップ２０は必ずしも弾性を有する部材である必要はない。また、必ずしも固定側レール部４１の前端面にクリップ２０を係止させて光ファイバ収納トレイ２の仕舞い方向への移動を規制する必要はない。
【００４３】
また、トレイ突起部２７は、光ファイバ収納トレイ２の筐体３からの所定の引出位置においてストッパ金具３４に当接し、光ファイバ収納トレイ２の引出方向への移動を規制できれば、その形状や取付箇所は、任意であり、適宜変更して差し支えない。例えば、移動側レール部４２にトレイ突起部２７を設けてもよく、また、板状体ではなくて棒状体から構成してもよい。また、ストッパ金具３４は、光ファイバ収納トレイ２の筐体３からの所定の引出位置においてトレイ突起部２７が当接し、光ファイバ収納トレイ２の引出方向への移動を規制できれば、その形状や取付箇所は任意であり、適宜変更して差し支えない。例えば、固定側レール部４１に取り付けてもよく、必ずしも筐体３の幅方向左側の側壁３２の前端面に取り付ける必要はない。
【００４４】
また、スライドレール４の固定側レール部４１に加工して形成した溝を被係止手段とし、この溝にクリップ２０を係止させて光ファイバ収納トレイ２の仕舞い方向への移動を規制する構成としてもよい。また、弾性を有する板片等から構成された凸部を、撓んだ状態で固定側レール部４１の側面に接触した状態となるように光ファイバ収納トレイ２の下方に突出して設け、この凸部を固定側レール部４１に加工して形成した溝に係止させることにより、ストッパ金具３４を必要とせずに、光ファイバ収納トレイ２の引出方向への移動を規制することができる。
【産業上の利用可能性】
【００４５】
上記実施形態においては、光配線盤で使用するトレイ製品について説明したが、例えば、スライドレールを使用するトレイ製品全般に本発明を適用することも可能である。このような製品に本発明を適用した場合においても上記実施形態と同様な作用効果が奏される。
【図面の簡単な説明】
【００４６】
【図１】従来のコネクタユニットが備える光ファイバ収納トレイの構成の一例を示す斜視図である。
【図２】心線収納部を備える光ファイバ収納トレイの構成の他の例を示す斜視図である。
【図３】従来のコネクタユニットが備える光ファイバ収納トレイと図２に示す光ファイバ収納トレイを同一筐体内に構成した概略を示す斜視図である。
【図４】本発明の最良の形態による光配線盤を説明する図で、（ａ）は光配線盤を構成するキャビネットの正面から見た内部構成を説明する図、（ｂ）はキャビネットの側面図である。
【図５】光ファイバ収納ユニットを示す図で、（ａ）が平面図、（ｂ）が正面図である。
【図６】光ファイバ収納ユニットの構成の概略を示す斜視図である。
【図７】光ファイバ収納ユニットを構成する光ファイバ収納トレイを示す図である。
【図８】光ファイバ収納トレイの構成の概略を示す斜視図である。
【図９】スライドレールの構成の概略を示す斜視図であり、同図（ａ）は縮短した状態、同図（ｂ）は伸張した状態を示す。
【図１０】光ファイバ収納ユニットにおいて、光ファイバ収納トレイのトレイ突起部とストッパ金具との位置関係を説明する図である。
【図１１】本実施形態での引出位置ロック構造による光ファイバ収納トレイの引出量のロック状態を説明する図である。
【図１２】図６の光ファイバ収納ユニットの構成の概略を示す斜視図である。
【符号の説明】
【００４７】
１…光配線盤
１１…コネクタユニット
２…光ファイバ収納トレイ
２１…底板
２２…縦板
２２ａ…角型ジュラコンキャッチ
２３…切欠部
２４…切欠部
２５…心線収納部
２６…余長収納部
２７…トレイ突起部
２９…サポート板
３…筐体
３１…後端壁
３１ａ…凸部
３２，３３…側壁
３４…ストッパ金具
３５…本体部分
３６…突片
４…スライドレール
４１…固定側レール部
４２…移動側レール部
４３…クリップ
【図１】
2006227041.tif 000003
【図２】
2006227041.tif 000004
【図３】
2006227041.tif 000005
【図４】
2006227041.tif 000006
【図５】
2006227041.tif 000007
【図６】
2006227041.tif 000008
【図７】
2006227041.tif 000009
【図８】
2006227041.tif 000010
【図９】
2006227041.tif 000011
【図１０】
2006227041.tif 000012
【図１１】
2006227041.tif 000013
【図１２】
2006227041.tif 000014